(57)【要約】【課題】広告の動画データによって通信の帯域が多く消費されてしまうという問題があった。【解決手段】広告管理装置１が、要求装置１０からの要求に基づいてコンテンツ配信装置１００から送信されるコンテンツデータを転送する。この際、広告管理装置１は、コンテンツデータに埋め込まれている広告動画データの転送可否を判定し、転送をしないと判定した場合に動画データの転送を遮断する。【選択図】図１
2018036742.tif 000002
【特許請求の範囲】
【請求項１】
要求装置から要求に基づいて配信装置から送信されるコンテンツデータを転送するコンテンツ転送部と、
前記コンテンツデータに埋め込まれて動画配信サーバから送信される動画データのうち広告を示す動画データの転送可否を判定し、転送をしないと判定した場合に前記動画データの転送を遮断する動画データ転送制限部と、
を備える広告管理装置。
【請求項２】
前記動画データ転送制限部は、前記動画データの識別情報を含むリスト情報に前記広告を示す動画データが含まれている場合に前記広告を示す動画データを転送しないと判定する
請求項１に記載の広告管理装置。
【請求項３】
前記広告を示す動画データを転送しないと判定した場合、前記コンテンツデータにおける前記広告を示す動画データの表示領域に再生開始指示アイコンを表示される再生開始指示データを加えるコンテンツデータ加工部と、
を備える請求項１または請求項２に記載の広告管理装置。
【請求項４】
前記再生開始指示アイコンが選択されることに基づく再生開始指示信号を前記要求装置より受信した場合、転送しないと判定した前記動画データの再送を当該動画データを送信する動画配信サーバに要求する制限解除部と、
を備える請求項３に記載の広告管理装置。
【請求項５】
前記要求装置からの制限対象要求に基づいて、当該制限対象要求に対応する前記動画データの識別情報を含む前記リスト情報を自動生成するリスト情報生成部と、
を備える請求項２に記載の広告管理装置。
【請求項６】
要求装置から要求に基づいて配信装置から送信されるコンテンツデータを転送し、
前記コンテンツデータに埋め込まれて動画配信サーバから送信される動画データのうち広告を示す動画データの転送可否を判定し、転送をしないと判定した場合に前記動画データの転送を遮断する広告配信管理方法。
【請求項７】
要求装置から要求に基づいて配信装置から送信されるコンテンツデータを転送するコンテンツ転送手段、
前記コンテンツデータに埋め込まれて動画配信サーバから送信される動画データのうち広告を示す動画データの転送可否を判定し、転送をしないと判定した場合に前記動画データの転送を遮断する動画データ転送制限手段、
として機能させるプログラム。
【発明の詳細な説明】
【技術分野】
【０００１】
本発明は、広告管理装置、広告配信管理方法及びプログラムに関する。
【背景技術】
【０００２】
端末などに配信される広告情報の表示を制御する技術が特許文献１や特許文献２などに開示されている。
【先行技術文献】
【特許文献】
【０００３】
【特許文献１】特開平１０−３２０３３６号公報
【特許文献２】特開２００５−３４１３０４号公報
【発明の概要】
【発明が解決しようとする課題】
【０００４】
ところで近年、コンテンツデータを要求する端末などの要求装置が、サーバなどの配信装置からコンテンツデータを取得するときに、そのコンテンツデータの取得に基づいて端末が複数の異なる動画配信サーバとの間でセッションを同時に張り、それら複数の異なる動画配信サーバそれぞれから広告の動画データを受信する場合がある。例えばウェブページやＳＮＳ（social networking service）サーバから配信されたコンテンツデータをスマートフォン等の端末（要求装置）が受信する。端末はそのデータに表示される広告の動画データを動画配信サーバから受信して、コンテンツデータの所定領域に表示する。
【０００５】
端末などの要求装置を利用するユーザは広告の動画データの表示を望まない場合があり、また広告の動画データによって通信の帯域が多く消費されてしまうという問題があった。
【０００６】
そこでこの発明は、上述の課題を解決する広告管理装置、広告配信管理方法及びプログラムを提供することを目的としている。
【課題を解決するための手段】
【０００７】
本発明の第１の態様によれば、広告管理装置は、要求装置から要求に基づいて配信装置から送信されるコンテンツデータを転送するコンテンツ転送部と、前記コンテンツデータに埋め込まれて動画配信サーバから送信される動画データのうち広告を示す動画データの転送可否を判定し、転送をしないと判定した場合に前記動画データの転送を遮断する動画データ転送制限部と、を備える。
【０００８】
また本発明の第２の態様によれば、広告配信管理方法は、要求装置から要求に基づいて配信装置から送信されるコンテンツデータを転送し、前記コンテンツデータに埋め込まれて動画配信サーバから送信される動画データのうち広告を示す動画データの転送可否を判定し、転送をしないと判定した場合に前記動画データの転送を遮断してよい。
【０００９】
また本発明の第３の態様によれば、プログラムは、コンピュータを、要求装置から要求に基づいて配信装置から送信されるコンテンツデータを転送するコンテンツ転送手段、前記コンテンツデータに埋め込まれて動画配信サーバから送信される動画データのうち広告を示す動画データの転送可否を判定し、転送をしないと判定した場合に前記動画データの転送を遮断する動画データ転送制限手段、として機能させてよい。
【発明の効果】
【００１０】
本発明によれば、要求装置に配信されるコンテンツデータにおいて広告データが表示される場合に、リスト情報に含まれる識別情報に一致する広告データの要求装置への配信を制限できる。これにより要求装置が利用できる通信帯域の消費を軽減することができる。
【図面の簡単な説明】
【００１１】
【図１】本発明の一実施形態による通信ネットワークシステムの構成を示す図である。
【図２】本発明の一実施形態による広告管理装置のハードウェア構成を示す図である。
【図３】本発明の一実施形態による広告管理装置の機能ブロック図である。
【図４】本発明の一実施形態による要求装置の表示例を示す図である。
【図５】本発明の一実施形態による通信ネットワークシステムの処理フローを示す図である。
【図６】本発明の一実施形態による広告管理装置の処理フローを示す第一の図である。
【図７】本発明の一実施形態による広告管理装置の処理フローを示す第二の図である。
【図８】広告管理装置の機能ブロックを示す第二の図である。
【図９】広告管理装置の最小構成を示す図である。
【発明を実施するための形態】
【００１２】
以下、本発明の一実施形態による広告管理装置を図面を参照して説明する。
図１は同実施形態による広告管理装置を含む通信ネットワークシステムの構成を示す図である。
この図で示す通信ネットワークシステム２００は、要求装置１０と、コンテンツ配信装置１００及び動画配信サーバ１０１で示される配信装置群とを繋ぐ通信ネットワークシステムである。要求装置１０と、コンテンツ配信装置１００や動画配信サーバ１０１の間には、基地局装置２０、第一中継装置３０、第二中継装置４０、第三中継装置５０、第四中継装置６０などの様々な中継装置が設けられている。コンテンツ配信装置１００や動画配信サーバ１０１から配信されたデータは、それら各中継装置を介して要求装置１０へ送信される。
【００１３】
要求装置１０はスマートフォンやＰＣなどの端末である。
基地局装置２０は要求装置１０へ無線通信を介してデータを送信する。
第一中継装置３０は携帯電話網アーキテクチャにおけるＳ−ＧＷ（Serving Gateway）やＳＧＳＮ（Serving GPRS(General Packet Radio Service) support node）を示している。
第二中継装置４０は携帯電話網アーキテクチャにおけるＰ−ＧＷ（PDN(Packet Data Network) Gateway）やＳＧＳＮを示している。
第三中継装置５０はルータを示している。
第四中継装置６０はインターネットゲートウェイを示している。
【００１４】
コンテンツ配信装置１００は要求装置１０からの要求に基づいてコンテンツデータを送信する。
動画配信サーバ１０１は、コンテンツ配信装置１００が送信したコンテンツデータに埋め込まれた広告動画データの要求先の装置であり、要求装置１０からの要求に基づいて広告動画データを送信する。要求装置１０はコンテンツデータを表示すると共に、その表示ページ中に広告動画データに基づく広告動画を表示する。
通信ネットワークシステム２００は他の中継装置等をさらに備えるものであってよい。説明便宜上、それら他の装置の説明については省略する。
【００１５】
通信ネットワークシステム２００は、図１に示すように第三中継装置５０にロードバランサ７０が接続されている。ロードバランサ７０には広告管理装置１および広告ＵＲＬデータベース２が接続されている。本実施形態による通信ネットワークシステム２００は、コンテンツ配信装置１００や動画配信サーバ１０１から要求装置１０へ送信されたデータは、第三中継装置５０から一旦、ロードバランサ７０、広告管理装置１に転送される。広告管理装置１は受信したコンテンツデータや広告動画データに対して所定の処理を施す。所定の処理とは、広告動画データの破棄、削除や、コンテンツデータの加工である。広告管理装置１はコンテンツデータや広告動画データに所定の処理を施し、要求装置１０へそれらのデータを送信する。コンテンツデータや広告動画データは、ロードバランサ７０、第三中継装置５０、第二中継装置４０、第一中継装置３０、基地局装置２０を介して要求装置１０へ転送される。要求装置１０には静止画像の広告データが配信装置群から配信されてよい。広告管理装置１は要求装置１０に送信されるデータのうち、対象となる広告動画データのみの破棄、削除や加工などをおこなってよい。
【００１６】
広告ＵＲＬデータベース２は、広告動画データの識別情報である配信元のＵＲＬの一覧を示すリスト情報を記憶する。当該リスト情報は、管理者によって広告ＵＲＬデータベース２に登録されてもよいし、端末１０などから得た情報に基づいて広告管理装置１が自動生成して広告ＵＲＬデータベース２に登録したものであってもよい。
【００１７】
図２は広告管理装置のハードウェア構成を示す図である。
広告管理装置１は、ＣＰＵ（Central Processing Unit）１１、ＲＡＭ（Random Access Memory）１２、ＲＯＭ（Read Only Memory）１３、ＨＤＤ（Hard Disk Drive）１４、通信モジュール、表示画面１６、ＩＦ（Interface）１７などのハードウェアを備えている。
【００１８】
図３は広告管理装置の機能ブロックを示す第一の図である。
広告管理装置１はＣＰＵ１３がＨＤＤ１４などに記録される広告管理プログラムを実行する。当該プログラムの実行により、広告管理装置１には、コンテンツ転送部１１１、動画データ転送制限部１１２、コンテンツデータ加工部１１３、制限解除部１１４などの機能が備わる。
【００１９】
コンテンツ転送部１１１は、要求装置１０からの要求に基づいてコンテンツ配信装置１００から送信されるコンテンツデータを転送する。
動画データ転送制限部１１２は、コンテンツデータに埋め込まれた情報に基づいて要求装置１０が要求することで動画配信サーバ１０１から要求装置１０へ送信される動画データのうち、広告を示す広告動画データの転送可否を判定し、転送をしないと判定した場合に広告動画データの転送を遮断する処理を行う。動画データ転送制限部１１２は、広告動画データの識別情報を含むリスト情報に、転送しようとする広告動画データの識別情報が含まれている場合には、その広告動画データを転送しないと判定する。
【００２０】
コンテンツデータ加工部１１３は、広告動画データを転送しないと判定した場合、コンテンツデータと共に表示される広告動画データの表示領域に、再生開始指示アイコンを表示させるための再生開始指示データをコンテンツデータに付加するなどの処理を行う。
制限解除部１１４は、再生開始指示アイコンが選択されることに基づく再生開始指示信号を要求装置１０より受信した場合、転送しないと判定した広告動画データの再送を、当該広告動画データを送信する動画配信サーバ１０１に要求する。
【００２１】
図４はコンテンツデータに基づく要求装置の表示例を示す図である。
要求装置１０はコンテンツデータの送信要求を行うと、コンテンツ配信装置１００よりコンテンツデータを受信してコンテンツページを画面に表示する（図４）。図４で示すコンテンツページ４１は、メインコンテンツ表示領域４２と、広告動画表示領域４３とが設けられている。メインコンテンツ表示領域４２にはコンテンツ配信装置１００から送信されたコンテンツデータが表示される。要求装置１０はコンテンツデータに動画データのＵＲＬなどが含まれている場合に、その動画配信サーバ１０１のＵＲＬに自動的にアクセスして動画データの送信要求を行う。広告動画表示領域４３には動画配信サーバ１０１が送信した広告動画データを含む各種動画データや、広告管理装置１が送信した再生開始指示アイコンが表示される。なお再生開始指示アイコンは、動画配信サーバ１０１が元々配信した動画データに含まれる情報であってもよい。
【００２２】
本実施形態においては、要求装置１０に所定の広告動画データが送信された場合、広告管理装置１の制御によって、その広告動画データの送信が遮断される。しかしながら、ユーザが要求装置１０を操作して再生開始指示アイコン４４が押下された場合には、一旦遮断された広告動画データの送信が再開されてよい。
【００２３】
図５は通信ネットワークシステムにおける処理フローを示す図である。
要求装置１０はコンテンツ配信装置１００にコンテンツデータの送信要求を出力する（ステップＳ５０１）。コンテンツデータは例えばウェブページなどであってよい。コンテンツ配信装置１００は送信要求を受信するとコンテンツデータを要求装置１０へ送信する（ステップＳ５０２）。コンテンツデータは第三中継装置５０によって広告管理装置１へ転送される。広告管理装置１はコンテンツデータに広告動画データが含まれており、その広告動画データがリスト情報に含まれる場合、広告動画データの配信を制限すると判断する（ステップＳ５０３）。具体的には広告管理装置１はコンテンツデータを要求装置１０へ送信する（ステップＳ５０４）。コンテンツデータが要求装置１０に送信されると、要求装置１０はコンテンツデータに含まれる識別情報に基づいて動画データの送信を要求する（ステップＳ５０５）。この要求によって動画配信サーバ１０１が動画データを要求装置１０へ送信する（ステップＳ５０６）。動画データは第三中継装置５０の処理によって広告管理装置１へ転送される。広告管理装置１はステップＳ５０３の判断に基づいて動画データを破棄する（ステップＳ５０７）。なお広告管理装置１のステップＳ５０３の処理を省略し、ステップＳ５０７の処理において、ステップＳ５０３の制限の判断を行うようにしてもよい。
【００２４】
しかしながら、ユーザの操作に基づいて要求装置１０が動画データの制限解除を要求したとする（ステップＳ５０８）。この場合、コンテンツ配信装置１００は広告動画データの配信制限を解除すると判定する（ステップＳ５０９）。コンテンツ配信装置１００は動画データの再送要求を動画配信サーバ１０１へ送信する（ステップＳ５１０）。これにより動画配信サーバ１０１は動画データを再送する（ステップＳ５１１）。再送された動画データはコンテンツ配信装置１００が要求装置１０へ転送する（ステップＳ５１２）。
【００２５】
図６は広告管理装置の処理フローを示す第一の図である。
図５を用いて説明した広告管理装置１の処理の詳細を説明する。
広告管理装置１は上記ステップ５０２で送信されたコンテンツデータを受信する（ステップＳ６０１）。そして広告管理装置１のコンテンツ転送部１１１は、コンテンツデータに動画データの識別情報が含まれているかを判定する（ステップＳ６０２）。本実施形態においては動画データの識別情報は、動画データの配信元のＵＲＬである。動画データの識別情報は当該動画データを配信する動画配信サーバ１０１を識別する情報であてもよい。コンテンツ転送部１１１は動画データの識別情報が含まれる場合動画データ転送制限部１１２にその識別情報を通知する。
【００２６】
動画データ転送制限部１１２は、広告ＵＲＬデータベース２からリスト情報を取得する（ステップＳ６０３）。動画データ転送制限部１１２は、コンテンツデータに含まれる動画データの識別情報がリスト情報に含まれるかを判定する（ステップＳ６０４）。動画データ転送制限部１１２はコンテンツデータに含まれる動画データの識別情報がリスト情報に含まれる場合、そのコンテンツデータに含まれる動画データが広告であり、その動画データを削除（動画データの送信を遮断）すると判定する（ステップＳ６０５）。動画データ転送制限部１１２は削除すると判定した動画データの識別情報の一覧を示す削除一覧リストを生成して記憶する（ステップＳ６０６）。コンテンツ配信装置は、コンテンツデータに含まれる全ての動画データの識別情報についての処理を終了したかを判定する（ステップＳ６０７）。終了しない場合、ステップＳ６０４の処理からを繰り返す。コンテンツデータに含まれる全ての動画データの識別情報についての処理を終了した場合、動画データ転送制限部１１２は、コンテンツ転送部１１１に処理完了を通知する。コンテンツ転送部１１１はコンテンツデータを要求装置１０へ送信する（ステップＳ６０８）。
【００２７】
ステップＳ６０８のコンテンツデータの送信によりそのコンテンツデータに含まれる動画データの識別情報に基づいて要求装置１０が動画データの配信要求を行う。動画配信サーバ１０１は動画データを要求装置１０に送信する。この動画データは広告動画データやそれ以外の動画データを含むものである。動画データは第三中継装置５０の処理によって広告管理装置１に転送される。
【００２８】
広告管理装置１の動画データ転送制限部１２は動画データを受信する（ステップＳ６０９）。動画データ転送制限部１２は、動画データの識別情報である配信元のＵＲＬが、削除一覧リストに記録されているかを判定する（ステップＳ６１０）。動画データ転送制限部１２は動画データの識別情報である配信元のＵＲＬが、削除一覧リストに記録されている場合、広告動画データであるためその動画データを破棄する（ステップＳ６１１）。
【００２９】
上述のステップＳ６０７においてコンテンツデータに含まれる全ての動画データの識別情報についての処理を終了した場合、動画データ転送制限部１１２は、コンテンツデータ加工部１１３に加工処理を指示してもよい。この場合、コンテンツデータ加工部１１３は、コンテンツデータにおける広告動画表示領域４３に、再生開始指示アイコンを表示させるための再生開始指示データをコンテンツデータに付加するなどして加工してよい。この場合、コンテンツデータ加工部１１３は動画データが自動的に送信されないよう、コンテンツデータのマークアップ言語で記述された情報を加工してもよい。そしてコンテンツデータ加工部１１３の加工済みのコンテンツデータをステップＳ６０８でコンテンツ転送部１１１が要求装置１０へ送信してもよい。この場合、コンテンツ加工を行うことが動画データの転送を遮断することに繋がる。この場合、要求装置１０が自動的に動画データの送信要求を動画配信サーバ１０１に送信しないため、通信ネットワークシステム２００上を流れるデータ量を削減できる。
【００３０】
図７は広告管理装置の処理フローを示す第二の図である。
図５を用いて説明したステップＳ５０８の処理に基づいて広告管理装置１は、動画データの制限解除要求を受信する（ステップＳ７０１）。制限解除要求には制限対象となった動画データの識別情報が含まれる。制限解除部１１４は、制限解除要求に含まれる動画データの識別情報を検出する（ステップＳ７０２）。制限解除部１１４は、検出した動画データの識別情報を削除一覧リストから削除する（ステップＳ７０３）。また制限解除部１１４は、その動画データの識別情報に基づいて、動画配信サーバ１０１へ動画データの再送要求を送信する（ステップＳ７０４）。その結果、動画配信サーバ１０１が動画データを再送する。動画データは第三中継装置５０が広告管理装置１へ転送する。広告管理装置１は、上述のステップＳ６０９からの処理を行うが、ステップＳ６１０において動画データの識別情報が削除一覧リストに記録されていない為、動画データを要求装置１０へ送信する。
【００３１】
図８は広告管理装置の機能ブロックを示す第二の図である。
図８はで示す広告管理装置１は、さらにリスト情報生成部１１５を備えている。上述したが広告管理装置１はリスト情報を自動生成してもよい。この場合、例えばコンテンツデータが表示されたページにおいて広告制限ボタンが表示されており、この広告制限ボタンの押下を要求装置１０のユーザが操作することにより、要求装置１０が広告制限要求を広告管理装置１に送信する。広告制限要求にはコンテンツデータに含まれる動画データの識別情報（ＵＲＬ）が含まれる。広告管理装置１のリスト情報生成部１１５は、広告制限要求を受信した場合、その要求に含まれる動画データの識別情報を抽出し、その識別情報を含むリスト情報を生成する。広告管理装置１のリスト情報生成部１１５は、その生成したリスト情報を広告ＵＲＬデータベース２に登録する。
【００３２】
図９は広告管理装置の最小構成を示す図である。
広告管理装置１は、少なくとも、要求装置１０からの要求に基づいてコンテンツ配信装置１００から送信されるコンテンツデータを転送するコンテンツ転送部と、コンテンツデータに埋め込まれている広告動画データの転送可否を判定し、転送をしないと判定した場合に動画データの転送を遮断する動画データ転送制限部１１２を備えればよい。
【００３３】
上述の各装置は内部に、コンピュータシステムを有している。そして、上述した各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００３４】
上記また、「コンピュータ」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００３５】
上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００３６】
１・・・広告管理装置
２・・・広告ＵＲＬデータベース
１０・・・要求装置
２０・・・基地局装置
３０・・・第一中継装置
４０・・・第二中継装置
５０・・・第三中継装置
６０・・・第四中継装置
７０・・・ロードバランサ
１００・・・コンテンツ配信装置
１０１・・・動画配信サーバ
１１１・・・コンテンツ転送部
１１２・・・動画データ送信制限部
１１３・・・コンテンツデータ加工部
１１４・・・制限解除部
【図１】
2018036742.tif 000003
【図２】
2018036742.tif 000004
【図３】
2018036742.tif 000005
【図４】
2018036742.tif 000006
【図５】
2018036742.tif 000007
【図６】
2018036742.tif 000008
【図７】
2018036742.tif 000009
【図８】
2018036742.tif 000010
【図９】
2018036742.tif 000011